(57)【要約】【課題】高電圧回路を低電圧回路とを並べて設置しても、高電圧回路からの放電を確実に防止できる、小型のケース付き回路基板を提供する。【解決手段】回路基板１の長手方向の一端には、回路基板１の中心方向に所定長さのスリット３を形成し、このスリット３を介して、高電圧端子と低電圧端子とをそれぞれに備えるコネクタ１０ａとコネクタ１０ｂとを配置し、さらにコネクタ１０ａに接続する圧電トランス１１ａとコネクタ１０ｂに接続する圧電トランス１１ｂを配置する。回路基板１はスリット３に挿嵌する仕切部２１を備えた絶縁性を有するケース２により覆われている。これにより、近接するコネクタ１０ｂ側の高電圧部とコネクタ１０ａ側の低電圧部とがスリット３と仕切部２１とにより絶縁される。【選択図】  図１
2004342997.tif 000002
【特許請求の範囲】
【請求項１】
それぞれ少なくとも一つの高電圧回路と低電圧回路とが形成され、該高電圧回路と低電圧回路とを分離するスリットが端部から設けられた回路基板を、略筒状の絶縁性材料からなるケースにより覆ってなるケース付き回路基板において、
前記ケースは、その内部に、前記回路基板のスリットに挿嵌し、前記高電圧回路と前記低電圧回路とを仕切る仕切手段を備えたケース付き回路基板。
【請求項２】
前記仕切手段は、絶縁性シートを屈曲形成することにより、前記ケースに一体形成してなる請求項１に記載のケース付き回路基板。
【請求項３】
請求項１または請求項２のケース付き回路基板を備え、前記高電圧回路を含む電源回路が冷陰極管点灯用のインバータ回路である冷陰極管制御回路。
【請求項４】
前記インバータ回路は圧電トランスを備える請求項３に記載の冷陰極管制御回路。
【請求項５】
請求項２に記載のケース付き回路基板の製造方法であって、
前記絶縁性シートを屈曲することにより、内部に仕切手段を備えた略筒状のケースを形成する工程と、前記回路基板を前記ケースに挿入し、前記仕切手段を前記スリットに挿嵌させて固定する工程とを、含むケース付き回路基板の製造方法。
【発明の詳細な説明】
【０００１】
【発明の属する技術分野】
この発明は、ケース付き回路基板、特に搭載されている部品間の絶縁性を確保する必要があるケース付き回路基板、該ケース付き回路基板を備えた冷陰極管点灯用制御回路、およびケース付き回路基板の製造方法に関するものである。
【０００２】
【従来の技術】
現在、ノートパソコンの表示装置としては液晶表示装置があり、この液晶表示装置のバックライトとして、冷陰極管光源が多く用いられている。冷陰極管光源は冷陰極管の両端に約５００〜７００Ｖの高電圧を印加することにより発光するため、通常、冷陰極管光源用の制御回路基板には電圧昇圧回路を設けなければならない。そこで、この電圧昇圧回路としてトランスを用いたインバータ回路を多く利用している。ところが、この電圧昇圧回路は高電圧を発生するため周囲の電子部品に放電する可能性があるので、従来では制御回路基板を絶縁性材料からなる筒状のケースで覆う構造が用いられている（例えば、特許文献１参照。）。
【０００３】
【特許文献１】
特開２００１−２５７４８８号
【０００４】
【発明が解決しようとする課題】
しかしながら、前述の制御回路基板では、電圧昇圧回路から制御回路基板外部に対する放電を防止するだけでなく、電圧昇圧回路から制御回路基板上の他の電子部品への放電を防止しなければならない。特に電圧昇圧回路に隣接して搭載される電子部品への放電が発生しやすいため、この部分の放電対策が必要となる。
【０００５】
ところで、このような制御回路基板では、電圧昇圧回路が冷陰極管への出力部であるため、制御回路基板の端部に設けられていることが多い。さらに、冷陰極管への入出力端子を統一するため、冷陰極管からの制御用電流をフィードバックする低電圧入力回路が高電圧出力回路の設けられた端部付近に併設されることが多い。このような制御回路基板は、液晶表示装置の非表示部内に収納させる等の設計的理由により細長く形成されていることが多く、この長手方向の端部に高電圧出力回路である電圧昇圧回路と低電圧入力回路とを基板の幅方向に並べて配置することとなる。
【０００６】
また、この制御回路基板にそれぞれに高電圧出力回路と低電圧入力回路とを備えた、互いに独立する複数系統の回路を備える場合、各高電圧出力回路および低電圧入力回路を、制御回路基板の長手方向の一端部に配置しなければならないことがある。このように複数系統の回路を配置した場合、一方の高電圧出力回路と他方の低電圧入力回路とを隣接させて配置しなければならない。この場合、隣り合う高電圧出力回路から低電圧入力回路への放電を防止するため、制御回路基板における高電圧出力回路と低電圧入力回路との間の位置にスリットを設けて、且つこれらの回路を所定間隔、離間して配置する構造が提案されている。しかしながら、このような制御回路基板では、例えば、スリットを１ｍｍ以上にし、且つ回路間距離を５ｍｍ以上にしなければならない等の制限が生じるため、小型化することが難しいという問題があった。
【０００７】
この発明の目的は、高電圧回路を低電圧回路とを並べて搭載しても、高電圧回路からの放電を確実に防止できる小型のケース付き回路基板、およびこれを用いた冷陰極管制御回路、さらにケース付き回路基板の製造方法を提供することにある。
【０００８】
【課題を解決するための手段】
この発明は、それぞれ少なくとも一つの高電圧回路と低電圧回路とが形成され、該高電圧回路と低電圧回路とを分離するスリットが端部から設けられた回路基板を、略筒状の絶縁性材料からなるケースにより覆ってなるケース付き回路基板において、このケースに、その内部に、回路基板のスリットに挿嵌し、高電圧回路と低電圧回路とを仕切る仕切手段を備えたことを特徴としている。
【０００９】
この構成では、回路基板上の高電圧回路が絶縁性材料で覆われて、回路基板上の他の電子部品や外部の電子部品に対して絶縁状態になるので、高電圧回路からの放電は絶縁性材料により遮断されるため、回路基板外への放電が防止されるとともに、同じ回路基板上で高電圧回路に隣接して搭載される低電圧回路への放電も確実に防止される。
【００１０】
また、この発明は、絶縁性シートを屈曲形成することにより、仕切手段をケースに一体形成することを特徴としている。
【００１１】
この構成では、内部に仕切手段を備えた筒状のケースが一枚の絶縁性シートを屈曲形成することにより形成されるので、高電圧回路と低電圧回路とを仕切り、且つ回路基板全体を覆うケースが簡素な構造に形成される。
【００１２】
また、この発明の冷陰極管制御回路は、前記高電圧回路を含む電源回路を冷陰極管点灯用のインバータ回路で構成したケース付き回路基板を備えたことを特徴としている。
【００１３】
この構成では、冷陰極管点灯用のインバータ回路が絶縁性シートで覆われることで、冷陰極管点灯用のインバータ回路から回路基板外部の各電子部品への放電が防止される。また、インバータ回路の高電圧回路がさらに絶縁性シートで覆われていることで、冷陰極管制御回路基板上のインバータ回路に隣接する電子部品への放電が防止される。
【００１４】
また、この発明の冷陰極管制御回路は、インバータ回路に圧電トランスを備えることを特徴としている。
【００１５】
この構成では、インバータ回路のトランスが圧電トランスであることにより、小型化、特に低背化されるので、前述のようにインバータ回路からの放電を防止する冷陰極管制御回路がさらに小型化、低背化される。
【００１６】
また、この発明は、絶縁性シートを屈曲することにより、内部に仕切手段を備えた略筒状のケースを形成する工程と、回路基板をケースに挿入し、仕切手段を回路基板のスリットに挿嵌させて固定する工程とを備えて、ケース付き回路基板を製造することを特徴としている。
【００１７】
この方法では、絶縁性シートを屈曲するだけで内部の所定位置に仕切を形成した略筒状のケースが容易に形成される。さらに、このケースの仕切が形成されていない側の端部から、スリットが形成された側を前方としてスリットが仕切に接触するまで回路基板を挿入することで、容易に回路基板がケースに対して位置決めされる。
【００１８】
【発明の実施の形態】
本発明の実施形態に係るケース付き回路基板について図１〜図４を参照して説明する。
【００１９】
図１は本発明の実施形態に係るケース付き回路基板の構成を示す斜視図である。
図２（ａ）は図１に示す回路基板の構成を示す外観斜視図であり、図２（ｂ）はこの回路基板の具体例である冷陰極管制御回路基板の一部を示す部分平面図である。
図３は図１に示すケースの構成を示す外観斜視図である。
【００２０】
図１に示すように、本発明に係るケース付き回路基板は、複数の電子部品が実装されており、長手方向の一端から所定長にかけてスリット３が設けられた、細長い形状の回路基板１と、該回路基板１を長手方向の端面を除いて覆う絶縁性シートからなるケース２とから構成される。
【００２１】
図２に示すように、回路基板１の長手方向の一端には、スリット３を挟んで幅方向に並列してコネクタ１０ａ，１０ｂが設置されており、これらコネクタ１０ａ，１０ｂから回路基板１の中央方向へ所定の位置に圧電トランス１１ａ，１１ｂが設置されている。また、圧電トランス１１ａ，１１ｂからスリット３を形成していない側の端部方向に電子部品１２ａ，１３ａ，１２ｂ，１３ｂ、および１４がそれぞれ設置されており、圧電トランス１１ａ、コネクタ１０ａを含むインバータ形式の第１の電源回路と、圧電トランス１１ｂ、コネクタ１０ｂを含むインバータ形式の第２の電源回路とを構成している。
【００２２】
圧電トランス１１ａは、回路基板１に形成された回路電極により、コネクタ１０ａの一方の端部（図２（ｂ）におけるコネクタ１０ａの上端）に配置された高電圧出力端子１０ａＨに接続されており、入力された交流電圧信号を昇圧して高電圧信号を生成し、高電圧出力端子１０ａＨを介して第１の冷陰極管（図示せず）に出力する。これにより、圧電トランス１１ａとコネクタ１０ａとの間に高電圧信号が伝送する高電圧回路１５ａＨが構成される。
【００２３】
また、このコネクタ１０ａの他方の端部（図２（ｂ）におけるコネクタ１０ａの下端）には低電圧入力端子１０ａＬが配置されており、図示されていないフィードバック系回路に接続されている。第１の冷陰極管から入力された信号はコネクタ１０ａの低電圧入力端子１０ａＬを介して、フィードバック系回路に伝送され、この信号に基づいて、第１の冷陰極管に対する出力電圧を制御する。これにより、第１の冷陰極管を安定に発光させ続ける。このように第１の冷陰極管からの信号を伝送することにより、回路基板１におけるコネクタ１０ａの低電圧入力端子から先の回路が、低電圧信号を伝送する低電圧回路１５ａＬとして構成される。
【００２４】
圧電トランス１１ｂは、回路基板１に形成された回路電極により、コネクタ１０ｂの一方の端部（図２（ｂ）におけるコネクタ１０ｂの上端）に配置された高電圧出力端子１０ｂＨに接続されており、入力された交流電圧信号を昇圧して高電圧信号を生成し、高電圧出力端子１０ｂＨを介して第２の冷陰極管（図示せず）に出力する。これにより、圧電トランス１１ｂとコネクタ１０ｂとの間に高電圧信号が伝送する高電圧回路１５ｂＨが構成される。
【００２５】
また、このコネクタ１０ｂの他方の端部（図２（ｂ）におけるコネクタ１０ｂの下端）には低電圧入力端子１０ｂＬが配置されており、図示されていないフィードバック系回路に接続されている。第２の冷陰極管から入力された信号はコネクタ１０ｂの低電圧入力端子１０ｂＬを介して、フィードバック系回路に伝送され、この信号に基づいて、第２の冷陰極管に対する出力電圧を制御する。これにより、第２の冷陰極管を安定に発光させ続ける。このように第２の冷陰極管からの信号を伝送することにより、回路基板１におけるコネクタ１０ｂの低電圧入力端子から先の回路が低電圧信号を伝送する低電圧回路１５ｂＬとして構成される。
【００２６】
次に、図３に示すように、ケース２は、回路基板１を長手方向の端面を除いて覆う断面略長方形で筒状の外面部２０と、回路基板１のスリット３に挿嵌し、筒状の外面部２０の上面から下面にかけて略垂直に形成された仕切部２１とからなる。このケース２は、一枚の絶縁性シートを屈曲することにより、前述の形状に成形されている。これにより、ケース２の仕切部２１が、回路基板１上のスリット３を介して隣接する低電圧回路１５ａＬと、高電圧回路１５ｂＨとを仕切る。ここで、仕切部２１（ケース２）が絶縁性シートにより形成されているので、低電圧回路１５ａＬは、この絶縁性の仕切部２１とスリット３とにより高電圧回路１５ｂＨから電気的に絶縁された状態となる。これにより、圧電トランス１１ｂから出力された高電圧信号の高電圧回路１５ｂＨから低電圧回路１５ａＬへの放電は遮断され、低電圧回路１５ａＬおよびこれに接続する電子部品へ高電圧信号が印加され、破壊することを防止できる。
【００２７】
また、絶縁性仕切部２１とスリット３とを設けて絶縁性を確保するため、これら絶縁性仕切部２１とスリット３を介して、極近傍に高電圧回路と低電圧回路とを配置しても、高電圧回路から低電圧回路への放電が防止されるので、回路基板上のこれらの部分間を狭くして、回路基板を小型に形成することができる。
【００２８】
なお、本実施形態では、仕切部をケースの外面部の上面に達するように形成したが、高電圧回路から低電圧回路への遮断効果が十分にとれるような仕切部の高さであれば、上面に達しない形状であってもよい。
【００２９】
次に、前述のケース付き回路基板の製造方法について図４を参照して説明する。
図４はケース付き回路基板の製造工程を順に示す概要図であり、（ａ）から（ｄ）に順に工程が進んでいく。
【００３０】
まず、所定形状に切断形成された絶縁性シートを、断面略長方形状になるように屈曲させて、略筒状のケース２を形成する（図４（ａ），（ｂ））。このとき、絶縁性シートの一部を筒状の外面部２０の内部に配置されるように屈曲させる。さらに、内部に配置された絶縁性シートの幅の短い部分を２度屈曲させて、その端部を所定長さに亘り外面部２０の上面に面接続させることで、上面から下面にかけて垂直な仕切部２１を形成する。ここで、例えば、絶縁性シートが重なり合う部分を接着材料により仮固定させることで、ケース２の形状を維持することができる。なお、仕切部２１は後述の回路基板１のスリット３を挿嵌するような位置に形成されている。
このように、一枚の絶縁性シートを屈曲させるだけでケース２を形成することができるので、部品点数の削減とともにケース製作工程を簡素化することができる。
【００３１】
一方、回路基板１には予め各部品が表面実装されている。
【００３２】
次に、前述のように形成されたケース２の仕切部２１が形成されていない側の開口部から、スリット３が形成されている側を前方にして、回路基板１を挿入する（図４（ｃ））。そして、スリット３にケース２の仕切部２１が挿嵌し、仕切部２１の端部がスリット３の端部に接触するまで回路基板１を挿入していき、固定する（図４（ｄ））。
【００３３】
ここで、ケース２における、回路基板１への接触面（下内面）には、例えば、回路基板１上の各素子が破壊しない温度で硬化する熱硬化性テープを予め設置しておき、ケース２内に回路基板１を配置した後、所定温度で加熱することで回路基板１をケース２に固着させることができる。また、同様にケース２を形成する絶縁シートの重なり部についても、同様の熱硬化性テープを配置しておくことで、ケース２も所定形状に形成することができる。
【００３４】
このような構成とすることで、回路基板１をケース２内に挿入していき、スリット３の端部と仕切部２１の端部とが接触した位置で固定すればよいので、ケースに対する回路基板の固定を容易に且つ正確に行うことができる。
【００３５】
なお、前述の説明では、一枚の絶縁性シートを屈曲させてケースを形成したが、複数の絶縁性部品によりケースを形成しても、前記回路基板をケースに容易、且つ正確に固定できる効果が得られる。
【００３６】
また、上述の実施形態では、圧電トランスにより発生した高電圧信号を出力する高電圧回路と冷陰極管からの比較的低電圧な信号をフィードバックする低電圧回路とを備える冷陰極管制御回路基板について説明したが、同一回路基板上に高電圧部と低電圧部とを備え、この回路基板を絶縁性材料で覆う構造のケース付き回路基板であれば、前述の構成を適用することができ、そのことにより同様の効果を得ることができる。
【００３７】
【発明の効果】
この発明によれば、回路基板上の高電圧回路が絶縁性材料で覆われているので、高電圧回路からの放電は絶縁性材料により遮断され、回路基板外への放電が防止されるとともに、同じ回路基板上で高電圧回路に隣接して搭載される低電圧回路への放電も確実に防止される。これにより、高電圧回路と低電圧回路とを近傍に配置することができるため、回路基板を小型に形成することができる。
【００３８】
また、この発明によれば、ケースおよび仕切手段が一枚の絶縁性シートを屈曲させることにより形成されるので、簡素な構造により高電圧回路と低電圧回路とを仕切り、且つ回路基板全体を覆うケースを容易に形成することができる。
【００３９】
また、この発明によれば、冷陰極管点灯用のインバータ回路が絶縁性シートで覆われることで、冷陰極管点灯用のインバータ回路から、回路基板外部の各電子部品や、冷陰極管制御回路基板上のインバータ回路に隣接する電子部品への放電を防止することができる。また、インバータ回路と他の電子部品とを近接配置することができるので、冷陰極管制御回路基板を小型に形成することができる。
【００４０】
また、この発明によれば、インバータ回路のトランスが圧電トランスであることにより、小型化、特に低背化するので、前述のようにインバータ回路からの放電を防止する冷陰極管制御回路基板をさらに小型化、低背化することができる。
【００４１】
また、この発明による製造方法によれば、略筒状のケースを容易に形成することができるとともに、回路基板をケースに容易に位置決めすることができる。
【図面の簡単な説明】
【図１】本発明のケース付き回路基板の構成を示す斜視図
【図２】図１に示す回路基板の構成を示す斜視図、および、この回路基板の具体例である冷陰極管制御回路基板の一部を示す部分平面図
【図３】図１に示すケースの構成を示す斜視図
【図４】ケース付き回路基板の製造工程を順に示す概要図
【符号の説明】
１−回路基板
１０ａ，１０ｂ−コネクタ
１０ａＨ，１０ｂＨ−高電圧出力端子
１０ａＬ，１０ｂＬ−低電圧入力端子
１１ａ，１１ｂ−圧電トランス
１２ａ，１２ｂ，１３ａ，１３ｂ，１４−電子部品
１５ａＨ，１５ｂＨ−回路基板１上の高電圧回路
１５ａＬ，１５ｂＬ−回路基板１上の低電圧回路
２−ケース
２０−ケース２の外面部
２１−ケース２の仕切部
３−スリット
【図１】
2004342997.tif 000003
【図２】
2004342997.tif 000004
【図３】
2004342997.tif 000005
【図４】
2004342997.tif 000006